(57)【要約】【課題】画像形成装置単体でログインユーザーに対し機能制限の制御を行うことが出来る画像形成装置および情報処理方法を提供する。【解決手段】操作部と、表示部と、記憶部と、自装置にログインするユーザーを認証種別に応じて認証するログイン認証部と、ログインしたユーザーの認証種別に応じて定められる認可情報を前記記憶部に記憶された認可テーブルを用いて管理する認可管理部と、ログインしたユーザーの認証種別と、当該認証種別に対して前記認可テーブルで実行を許可された機能を前記操作部および前記表示部経由で前記ユーザーに選択させる実行機能選択部と、前記ユーザーにより選択された機能を実行する機能実行部とを備える。【選択図】図２
2018074233.tif 000002
【特許請求の範囲】
【請求項１】
操作部と、
表示部と、
記憶部と、
自装置にログインするユーザーを認証種別に応じて認証するログイン認証部と、
ログインしたユーザーの認証種別に応じて定められる認可情報を前記記憶部に記憶された認可テーブルを用いて管理する認可管理部と、
ログインしたユーザーの認証種別と、当該認証種別に対して前記認可テーブルで実行を許可された機能を前記操作部および前記表示部経由で前記ユーザーに選択させる実行機能選択部と、
前記ユーザーにより選択された機能を実行する機能実行部と
を備えた
画像形成装置。
【請求項２】
請求項１に記載の画像形成装置であって、
前記認可テーブルには、
前記認証種別ごとに自装置での実行を許可された機能が認可情報として定義されている
画像形成装置。
【請求項３】
ログイン認証部が、自装置にログインするユーザーを認証種別に応じて認証し、
認可管理部が、ログインしたユーザーの認証種別に応じて定められる認可情報を記憶部に記憶された認可テーブルを用いて管理し、
実行機能選択部が、ログインしたユーザーの認証種別と、当該認証種別に対して前記認可テーブルで実行を許可された機能を操作部および表示部経由で前記ユーザーに選択させ、
機能実行部が、前記ユーザーにより選択された機能を実行する
情報処理方法。
【発明の詳細な説明】
【技術分野】
【０００１】
本発明は、ユーザーの認証種別に基づいて画像形成装置（ＭＦＰ、Multifunction Peripheral）で利用可能な機能を制限する画像形成装置および情報処理方法に関する。
【背景技術】
【０００２】
従来、画像形成装置が提供する機能を、様々な条件に従って制限して、ユーザーに、より適切に画像形成装置を利用させるための工夫がなされてきた。
【０００３】
例えば、特許文献１において開示された技術では、画像形成装置が設置してある部屋の中からユーザーが画像形成装置を使う場合と、部屋の外にいるユーザーがリモートで画像形成装置を使う場合とで、使用できる機能に差を設け、室外からの使用の場合は機能制限を行うことによりセキュリティを高めている。
【０００４】
また、特許文献２の技術では、ディレクトリサービスを提供するサーバーとは別に、ローカルユーザー等に対する認可情報を管理するユーザマネージャサーバーを立てているので、ディレクトリサービスにおける登録情報（グループ、ユーザーなどの登録情報）に影響を与えずに、ユーザマネージャサーバーにおいて、ディレクトリサービス上のドメインユーザを含む新たなグループを形成し、そのグループについて認可情報を設定できるため、認可情報を集中管理しつつ、ユーザーおよびユーザーグループに対して柔軟に認可情報を設定することができる。
【先行技術文献】
【特許文献】
【０００５】
【特許文献１】特開２００８−２１７１０２号公報
【特許文献２】特開２０１１−１１３２５８号公報
【発明の概要】
【発明が解決しようとする課題】
【０００６】
しかし、上記の技術では、画像形成装置にログインしたユーザーに対し、機能制限等の制御を行うために、専用のサーバーを立てなければならず、コストと手間がかかっていた。
【０００７】
以上のような事情に鑑み、本発明の目的は、画像形成装置単体でログインユーザーに対し機能制限の制御を行うことが出来る画像形成装置および情報処理方法を提供することにある。
【課題を解決するための手段】
【０００８】
上記目的を達成するため、本発明の一形態に係る画像形成装置は、操作部と、表示部と、記憶部と、自装置にログインするユーザーを認証種別に応じて認証するログイン認証部と、ログインしたユーザーの認証種別に応じて定められる認可情報を前記記憶部に記憶された認可テーブルを用いて管理する認可管理部と、ログインしたユーザーの認証種別と、当該認証種別に対して前記認可テーブルで実行を許可された機能を前記操作部および前記表示部経由で前記ユーザーに選択させる実行機能選択部と、前記ユーザーにより選択された機能を実行する機能実行部とを備える。
【０００９】
そのため、画像形成装置単体でログインユーザーに対し機能制限の制御を行うことが出来る。
【００１０】
上記目的を達成するため、本発明の一形態に係る画像形成装置では、前記認可テーブルには、前記認証種別ごとに自装置での実行を許可された機能が認可情報として定義されている構成でもよい。
【００１１】
上記目的を達成するため、本発明の一形態に係る情報処理方法では、ログイン認証部が、自装置にログインするユーザーを認証種別に応じて認証し、認可管理部が、ログインしたユーザーの認証種別に応じて定められる認可情報を記憶部に記憶された認可テーブルを用いて管理し、実行機能選択部が、ログインしたユーザーの認証種別と、当該認証種別に対して前記認可テーブルで実行を許可された機能を操作部および表示部経由で前記ユーザーに選択させ、機能実行部が、前記ユーザーにより選択された機能を実行する。
【発明の効果】
【００１２】
以上のように、本発明によれば、画像形成装置単体でログインユーザーに対し機能制限の制御を行うことが出来る。
【図面の簡単な説明】
【００１３】
【図１】本発明の一実施形態に係る画像形成装置２０の構成を概略的に示す構成図である。
【図２】認可テーブル２９ａの例を示す図である。
【図３】画像形成装置２０における処理の流れについて説明するためのフローチャートである。
【発明を実施するための形態】
【００１４】
以下、図面を参照しながら、本発明の実施形態を説明する。
【００１５】
［画像形成装置の構成］
最初に、本発明の一実施形態に係る画像形成装置２０の構成について説明する。図１は本発明の一実施形態に係る画像形成装置２０の構成を概略的に示す構成図である。
【００１６】
画像形成装置２０は、制御部２１を備える。制御部２１は、ＣＰＵ（Central Processing Unit）、ＲＡＭ（Random Access Memory）、ＲＯＭ（Read Only Memory）、および専用のハードウェア回路等から構成され、画像形成装置２０の全体的な動作制御を司る。
【００１７】
制御部２１は、原稿読取部２２、画像処理部２３、画像メモリー２４、画像形成部２５、操作部２６、表示部２６ａ、ファクシミリ通信部２７、通信部２８、記憶部２９等と接続されている。制御部２１は、接続されている上記各部の動作制御や、各部との間での信号又はデータの送受信を行う。
【００１８】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００１９】
また、制御部２１は、ログイン認証部２１ａ、実行機能選択部２１ｂ、認可管理部２１ｃ、および機能実行部２１ｄを有している。ログイン認証部２１ａ、実行機能選択部２１ｂ、認可管理部２１ｃ、および機能実行部２１ｄは、ＲＯＭなどからＲＡＭにロードされたプログラムがＣＰＵにより実行されることで実現される機能ブロックである。
【００２０】
ログイン認証部２１ａは、画像形成装置２０を使用するために画像形成装置２０にログインするユーザーを認証種別に応じて認証する。なお、認証されるユーザーには３つの認証種別（ゲストユーザー、ローカルユーザー、ネットワークユーザー）がある。
【００２１】
ゲストユーザーは、ユーザー名やパスワードが画像形成装置２０に登録されておらず、ネットワーク上のディレクトリサービス等にも登録されていないユーザーである。ローカルユーザーは、画像形成装置２０内で登録されているユーザーである。ネットワークユーザーは、ネットワーク上のディレクトリサービス等に登録されているユーザーである。
【００２２】
認可管理部２１ｃは、ログインしたユーザーの認証種別に応じて定められる認可情報を管理する。管理は、記憶部２９に記憶される認可テーブル２９ａ（詳細は後述）を用いて行われる。
【００２３】
実行機能選択部２１ｂは、ログインしたユーザーの認証種別と、当該認証種別に対して認可テーブル２９ａで実行を許可された機能をユーザーに選択させる。
【００２４】
機能実行部２１ｄは、ユーザーにより選択された機能を実行する。
【００２５】
原稿読取部２２は、原稿から画像を読み取る。
【００２６】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００２７】
画像メモリー２４は、原稿読取部２２による読み取りで得られた原稿画像のデータを一時的に記憶したり、画像形成部２５での印刷対象となるデータを一時的に記憶したりする領域である。
【００２８】
画像形成部２５は、原稿読取部２２で読み取られた画像データ等の画像形成を行う。
【００２９】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００３０】
ファクシミリ通信部２７は、図示しない符号化／復号化部、変復調部、およびＮＣＵ（Network Control Unit）を備え、公衆電話回線網を用いてのファクシミリの送信を行う。
【００３１】
通信部２８は、ＬＡＮボード等の通信モジュールから構成され、通信部２８に接続されたＬＡＮ等を介して、ＰＣなどの装置と種々のデータの送受信を行う。
【００３２】
記憶部２９は、原稿読取部２２によって読み取られた原稿画像などを記憶する。記憶部２９は、ＨＤＤなどの大容量の記憶装置である。記憶部２９は、認可テーブル２９ａ（詳細は後述）を記憶している。
【００３３】
以上、画像形成装置２０の構成について説明した。
【００３４】
［認可テーブルについて］
次に、認可テーブル２９ａの詳細について例を用いて説明する。図２は、認可テーブル２９ａの例を示す図である。
【００３５】
認可テーブル２９ａは、画像形成装置２０にログインしたユーザーに対し、使用できる機能を定義するものである。図に示す例では、ログイン認証されたユーザーの認証種別ごとに、認可される機能が認可情報として定義されている。
【００３６】
図に示す認可テーブル２９ａの１段目にある「制限ポリシー１」では、全ての認証種別においてフルカラーコピーを禁止すると共に、ゲストユーザーだけにはオートカラーコピーを許可している。なお、フルカラーコピーとは、フルカラーで行うコピー機能であり、オートカラーコピーとは、必要に応じてカラーコピーとモノクロコピーを使い分けるコピー機能である。
【００３７】
図に示す認可テーブル２９ａの２段目にある「制限ポリシー２」では、全ての認証種別において、２色カラーコピーと単色カラーコピーを禁じている。
【００３８】
以上のように、認可テーブル２９ａでは、ユーザーの認証種別ごとに使用許可または使用禁止する機能を定義できるので、画像形成装置２０を使用するユーザーに対し適切に機能の認可を行うことが出来る。
【００３９】
また、記憶部２９に記憶された認可テーブル２９ａにより機能の使用許可／使用禁止（認可）を制御するので、別途独立したサーバーを立てること無しに、画像形成装置２０単体で認可を制御することが出来る。
【００４０】
以上、認可テーブル２９ａの詳細について例を用いて説明した。
【００４１】
［処理の流れ］
次に、画像形成装置２０における処理の流れについて説明する。図３は、画像形成装置２０における処理の流れについて説明するためのフローチャートである。
【００４２】
まず、ログイン認証部２１ａが、画像形成装置２０にログインするユーザーを認証する（ステップＳ１）。
【００４３】
次に、認可管理部２１ｃが、認可テーブル２９ａを参照し、ログインしたユーザーの認証種別に基づいた認可情報を取得し、ログインしたユーザーに許される機能が何であるかを確認する（ステップＳ２）。
【００４４】
次に、実行機能選択部２１ｂが、前ステップで取得された認可情報に基づいて、ユーザーが実行可能な機能を表示部２６ａ経由でユーザーに提示する（ステップＳ３）。
【００４５】
次に、機能実行部２１ｄが、ユーザーにより選択された機能を実行する（ステップＳ４）。
【００４６】
以上、画像形成装置２０における処理の流れについて説明した。
【００４７】
［補足事項］
以上のように、本発明に係る画像形成装置２０は、操作部２６と、表示部２６ａと、記憶部２９と、自装置２０にログインするユーザーを認証種別に応じて認証するログイン認証部２１ａと、ログインしたユーザーの認証種別に応じて定められる認可情報を前記記憶部２９に記憶された認可テーブル２９ａを用いて管理する認可管理部２１ｃと、ログインしたユーザーの認証種別と、当該認証種別に対して前記認可テーブル２９ａで実行を許可された機能を前記操作部２６および前記表示部２６ａ経由で前記ユーザーに選択させる実行機能選択部２１ｂと、前記ユーザーにより選択された機能を実行する機能実行部２１ｄとを備える。
【００４８】
そのため、画像形成装置単体でログインユーザーに対し機能制限の制御を行うことが出来る。
【００４９】
その他、本発明は、上述の実施形態にのみ限定されるものではなく、本発明の要旨を逸脱しない範囲内において種々変更を加え得ることは勿論である。
【符号の説明】
【００５０】
２０  …  画像形成装置
２１  …  制御部
２１ａ…  ログイン認証部
２１ｂ…  実行機能選択部
２１ｃ…  認可管理部
２１ｄ…  機能実行部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
２９ａ…  認可テーブル
【図１】
2018074233.tif 000003
【図２】
2018074233.tif 000004
【図３】
2018074233.tif 000005